(57)【要約】【課題】  の発明は、裏面保護部材にガラス板を用いた場合にも、改善された歩留りで太陽電池モジュールを製造することができる製造方法を提供する。【解決手段】  透光性表面保護部材１２と裏面ガラス１３との間に、複数の太陽電池１１が封止材１４により封止され、太陽電池１１の出力を取り出すための出力配線２０を裏面ガラス１３に設けた開口部１３ａを介して取り出される出力配線２０を有する太陽電池モジュール１０であって、開口部１３ａを含め裏面ガラス１３と出力配線２０との間に配置される樹脂シート１４１と、この樹脂シート１４１とは所定距離離間して配置される２つの応力緩和用樹脂シート１４２、１４３と、を有する。【選択図】    図２
2012204533.tif 000002
【特許請求の範囲】
【請求項１】
透光性表面保護部材と裏面保護部材との間に、複数の太陽電池が封止材により封止され、前記裏面保護部材に設けた開口部を介して取り出される配線を有する太陽電池モジュールであって、前記開口部を含め裏面保護部材と前記配線との間に配置される樹脂シートと、この樹脂シートとは所定距離離間して配置される２つ以上の応力緩和用樹脂シートと、を有する、太陽電池モジュール。
【請求項２】
前記応力緩和用樹脂シートは、前記樹脂シートに対して対称の位置に配置される、請求項１に記載の太陽電池モジュール。
【請求項３】
前記樹脂シートは、水分浸透防止用樹脂シートである、請求項１または請求項２に記載の太陽電池モジュール。
【請求項４】
前記樹脂シートは、水分浸透防止用樹脂シートの表面に接着層が設けられている、請求項３に記載の太陽電池モジュール。
【請求項５】
透光性表面保護部材と裏面保護部材との間に、複数の太陽電池が封止材により封止され、前記裏面保護部材に設けた開口部を介して取り出す配線を有する太陽電池モジュールであって、前記開口部を含め裏面保護部材と前記配線との間に、封止材より小さく局所的な応力を緩和できる大きさより大きい面積を有する樹脂材を有する、太陽電池モジュール。
【請求項６】
前記裏面保護部材は、未強化の板ガラスである、請求項１ないし請求項５のいずれか１項に記載の太陽電池モジュール。
【請求項７】
下側から表面保護部材、表面側の封止樹脂シート、配線部材により接続された複数の太陽電池、裏面側の封止樹脂シート、開口部を含め裏面保護部材と太陽電池と接続された出力配線との間に配置される樹脂シート、この樹脂シートとは所定距離離間して配置される２つ以上の応力緩和用樹脂シート、太陽電池と接続された出力配線が開口部に挿入される裏面保護部材をこの順序で配置し、加熱しながら加圧し、前記封止樹脂シートを溶融して一体化し、前記太陽電池を前記表面保護部材と裏面保護部材との間に挟まれた状態で封止する、太陽電池モジュールの製造方法。
【請求項８】
前記裏面保護部材は、未強化の板ガラスである、請求項７に記載の太陽電池モジュールの製造方法。
【請求項９】
前記応力緩和用樹脂シートは、前記樹脂シートに対して対称の位置に配置される、請求項７または請求項８に記載の太陽電池モジュールの製造方法。
【請求項１０】
前記樹脂シートは、水分浸透防止用樹脂シートである、請求項７ないし請求項９のいずれか１項に記載の太陽電池モジュールの製造方法。
【請求項１１】
前記樹脂シートは、水分浸透防止用樹脂シートの表面に接着層が設けられている、請求１０に記載の太陽電池モジュールの製造方法。
【発明の詳細な説明】
【技術分野】
【０００１】
この発明は、太陽電池モジュール及びその製造方法に関するものである。
【背景技術】
【０００２】
太陽電池は、クリーンで無尽蔵に供給される太陽光を直接電気に変換することができるため、新しいエネルギー源として期待されている。
【０００３】
一般に、太陽電池１枚当たりの出力は数Ｗ程度である。このため、家屋やビル等の電源として太陽電池を用いる場合には、複数の太陽電池を接続することにより出力を高めた太陽電池モジュールが用いられる。太陽電池モジュールは、複数の太陽電池がその表裏面の電極に電気的に接続された配線部材により直列又は並列に接続された構造を有している。
【０００４】
上記した太陽電池モジュールは、複数の太陽電池を配線部材で接続したものを、透光性部材からなる表面保護部材と裏面保護部材との間に配設し、エチレン・酢酸ビニル共重合体（ＥＶＡ）などを主成分とする樹脂で封止することで、耐候性や耐衝撃性を高め、屋外で実用的な電気出力を取り出すことができるように構成されている。
【０００５】
また、耐候性の向上や裏面側からの光の入射を図るために、裏面保護部材に可撓性板ガラスを用いることが提案されている（例えば、特許文献１参照）
【０００６】
上記した太陽電池モジュールは、裏面側に太陽電池の出力を取り出すための端子ボックスが設けられている場合が多い。裏面側に端子ボックスを設けた太陽電池モジュールにおいては、太陽電池の出力を裏面側に取り出すために、裏面保護部材に開口部を設け、この開口部から出力用の配線を取り出している。端子ボックスには、外部に電力を出力する出力ケーブルと接続される端子部が設けられている。この端子部に太陽電池モジュール内から取り出された出力配線が半田付けにより接続される。
【先行技術文献】
【特許文献】
【０００７】
【特許文献１】特開２００１−２４４４８６号公報
【発明の概要】
【発明が解決しようとする課題】
【０００８】
このような太陽電池ジュールを製造するにあたっては、良好な歩留りで製造できる方法が望まれている。
【０００９】
この発明は、裏面保護部材にガラス板を用いた場合にも、改善された歩留りで太陽電池モジュールを製造することができる製造方法を提供することを目的とする。
【課題を解決するための手段】
【００１０】
この発明は、透光性表面保護部材と裏面保護部材との間に、複数の太陽電池が封止材により封止され、前記裏面保護部材に設けた開口部を介して取り出される配線を有する太陽電池モジュールであって、前記開口部を含め裏面保護部材と前記配線との間に配置される樹脂シートと、この樹脂シートとは所定距離離間して配置される２つ以上の応力緩和用樹脂シートと、を有する。
【発明の効果】
【００１１】
この発明は、樹脂シートを分散させて配置することで、広い領域で応力を受けることになり、応力集中による裏面保護部材の亀裂を防ぐことができる。また、裏面保護部材の開口部部分は、樹脂シートで覆われているので、開口部からの水分の浸透も防ぐことができる。
【図面の簡単な説明】
【００１２】
【図１】この発明の実施形態に係る太陽電池モジュールの概略断面図である。
【図２】この発明の実施形態に係る太陽電池モジュールの端子ボックス部分を示す模式的断面図である。
【図３】この発明の実施形態の太陽電池モジュールの出力配線部分を示す平面図である。
【図４】この発明の実施形態のラミネート前の出力配線の取り出し部分を示す部分断面図である。
【図５】この発明の実施形態の太陽電池モジュールに、樹脂シートと応力緩和用樹脂シートを配した状態を示す模式的平面図である。
【図６】この発明の実施形態の太陽電池モジュールに、樹脂シートと応力緩和用樹脂シートを配した状態を示す模式的平面図である。
【図７】この発明の実施形態の太陽電池モジュールにおいて、裏面保護部材にかかる応力の領域を示す模式的平面図である。
【図８】太陽電池モジュールを製造する製造装置の概略構成図である。
【図９】この発明の実施形態の太陽電池モジュールの出力配線部分を示す模式的断面図である。
【図１０】この発明の他の実施形態の太陽電池モジュールにおける樹脂シートを示す模式的平面図である。
【発明を実施するための形態】
【００１３】
この発明の実施の形態について図面を参照しながら詳細に説明する。なお、図中同一または相当部分には同一符号を付し、説明の重複を避けるためにその説明は繰返さない。ただし、図面は模式的なものであり、各寸法の比率等は現実のものとは異なることに留意すべきである。従って、具体的な寸法等は以下の説明を参酌して判断すべきものである。又、図面相互間においても互いの寸法の関係や比率が異なる部分が含まれていることは勿論である。
【００１４】
この発明の実施形態に係る太陽電池モジュール１０の概略構成について、図１を参照しながら説明する。
【００１５】
図１に示されるように、太陽電池モジュール１０は、太陽電池１１、表面保護部材１２、裏面保護部材としての裏面ガラス１３及び封止部材１４を備える。太陽電池モジュール１０は、表面保護部材１２と裏面ガラス１３との間に、複数の太陽電池１１を封止することにより構成される。
【００１６】
複数の太陽電池１１は配線部材１６によって互いに電気的に接続される。太陽電池１１と配線部材１６との接続は、半田または樹脂接着剤を用いて接続される。
【００１７】
一の方向に配列され、配線材１６により電気的に接続された複数の太陽電池１１…は、１単位ユニットであるストリングを構成している。これらストリング間は接続用配線、いわゆる渡り配線により接続されている。渡り配線の一部は、外部に電気を出力するための出力配線２０と接続される。
【００１８】
太陽電池１１は、例えば、厚みが０．１５ｍｍ程度の単結晶シリコンや多結晶シリコンなどで構成される結晶系半導体からなり、１辺が１２５ｍｍの略正方形状を有するが、これに限るものではなく、他の太陽電池を用いても良い。
【００１９】
この太陽電池１１は、例えば、ｎ型領域とｐ型領域を有し、ｎ型領域とｐ型領域との界面部分でキャリア分離用の電界を形成するための接合部が形成されている。
【００２０】
配線部材１６は、太陽電池１１の電極と、この太陽電池１１に隣接する他の太陽電池１１の電極とに接続される。これにより、隣接する太陽電池１１、１１間は電気的に接続される。例えば、配線部材１６は、薄板状の銅箔と、銅箔の表面にメッキされた半田とを含む。
【００２１】
配線部材１６と太陽電池１１とを半田で接続させる場合には、配線部材１６の表面にメッキされた半田を溶融させて、太陽電池１１の電極と接続させる。なお、太陽電池１１と配線部材１６との接続は、半田を用いた接続以外に、樹脂接着剤を用いて接続することも可能である。樹脂接着剤としては、異方導電性を有する樹脂接着剤が好適に用いられる。
【００２２】
表面保護部材１２は、封止部材１４の受光面側に配置されており、太陽電池モジュール１０の表面を保護する。この実施形態においては、表面保護部材１２は、透光性を有する強化ガラスで、その板厚は３．０ｍｍ〜３．２ｍｍ程度である。尚、表面保護部材１２は、強化ガラスに限らず、透光性プラスチック等を用いることができる。
【００２３】
裏面ガラス１３は、封止部材１４の裏面側に配置されており、太陽電池モジュール１０の背面を保護する。この実施形態においては、裏面ガラス１３は、板厚１．０ｍｍ以上４．０ｍｍ以下の未強化のガラス板が用いられ、耐候性を有するように構成している。裏面ガラス１３は、透光性であっても良いし、非透光性であっても良い。また、裏面ガラス１３は強化ガラスであっても良い。この場合には、裏面ガラス１３の厚みをさらに小さくすることができる。裏面ガラス１３の表面には、端子ボックス４０が取り付けられる。以下の実施形態では、板厚２．０ｍｍの未強化の板ガラスを用いている。
【００２４】
封止部材１４は、表面保護部材１２と裏面ガラス１３との間で太陽電池１１を封止する。表面保護部材１２と太陽電池１１との間に配される封止部材１４は透光性を有する。封止部材１４としては、エチレン・酢酸ビニル共重合体（ＥＶＡ）、ポリオレフィン、環状ポリエチレン、アイオノマー、ポリアクリル酸系ポリマー又はこれらを複数種類重合させたコポリマーの中から選択される。この実施形態では、ＥＶＡ樹脂を用いている。
【００２５】
配線部材１６は、太陽電池モジュール外部に出力を取り出す出力配線２０と直接または渡り配線２１を介して接続される。この出力配線２０は、裏面ガラス１３に設けられた開口部１３ａから太陽電池モジュール１０の外部に引き出される。
【００２６】
開口部１３ａを含め裏面ガラス１３と出力配線２０との間には、樹脂シート１４１が配され、開口部１３ａを被覆している。この樹脂シート１４１は、水分浸透を防止する樹脂シートであり、この実施形態では、ＰＥＴ（Polyethylene Terephthalate）の表面にＥＶＡ等の接着層が設けられている。さらに、この発明においては、後述するように、樹脂シート１４１と同じ面積、同じ厚さの応力緩和用樹脂シート１４２、１４３が樹脂シート１４１とは所定距離離間して配置されている。
【００２７】
なお、以上のような構成を有する太陽電池モジュール１０の外周には、Ａｌ（アルミニウム）フレーム（図示しない）を取り付けることができる。
【００２８】
図２及び図３に示されるように、配線部材１６は、太陽電池モジュール外部に出力を取り出す出力配線２０と直接または渡り配線２１を介して接続される。出力配線２０は、太陽電池１１からの電気出力を外部に取出すもので、端子ボックス４０内の端子と接続される。出力配線２０は、通常、厚さ０．１ｍｍ〜０．３ｍｍ程度、幅６ｍｍの銅箔にその全面を半田コートしたものを所定の長さに切断し、配線部材１６または渡り配線２１に半田付けされている。また、出力配線２０の表面は、絶縁性フィルム等の絶縁部材によって被覆されている。
【００２９】
裏面ガラス１３には、出力配線２０を取り出すために、開口部１３ａが設けられている。また、裏面側の封止部材１４を構成するシート部材１４ｂも後述するように、出力配線２０を取り出すスリット１４ｈが設けられている。
【００３０】
裏面ガラス１３の開口部１３ａを覆うように、シリコーン樹脂などの接着剤５０で端子ボックス４０が取り付けられる。開口部１３ａから取り出された出力配線２０が端子ボックス４０内の端子部４０ｂと接続され、外部の出力ケーブル（図示しない）と接続される。
【００３１】
出力配線２０の太陽電池モジュールからの取り出しについて、図３ないし図７を参照して説明する。
【００３２】
図３に示されるように、本実施形態では６個のストリングを渡り配線２１を用いて直列に接続している。一番左端のストリングの渡り配線２１と接続された出力配線２０が裏面ガラス１３の開口部１３ａから引き出される。左から２番目と３番目のストリングが渡り配線２１で接続され、渡り配線２１と接続された出力配線２０が裏面ガラス１３の開口部１３ａから引き出される。
【００３３】
また、一番右端のストリングの渡り配線２１と接続された出力配線２０が、裏面ガラス１３の開口部１３ａから引き出される。そして、右から２番目と３番目のストリングが渡り配線２１で接続され、渡り配線２１と接続された出力線２０が裏面ガラス１３の開口部１３ａから引き出される。
【００３４】
このようにして、６個のストリングから４本の出力配線２０…として裏面ガラス１３の開口部１３ａから引き出され、そして、端子ボックス４０の所定の端子部４０ｂに、後述する方法により半田付けを行って接続し太陽電池モジュールが構成されている。
【００３５】
開口部１３ａから導出される出力配線２０は、この実施形態においては、４本ある。このため、端子ボックス４０の端子部４０ｂには、４つの端子板（図示せず）が設けられ、それぞれ該当する出力端子２０…が半田によって接続される。端子ボックス４０の端子間には逆流防止ダイオードが接続されている。
【００３６】
図４に示されるように、太陽電池モジュール１０を製造するにあたっては、下側から表面保護部材１２、表面側のＥＶＡシート１４ａ（封止部材）、配線部材１６により接続された複数の太陽電池１１…、ＥＶＡシート１４ｂ（封止部材）、出力配線２０と裏面ガラス２３との間に配されるＥＶＡを両面に被着した樹脂シート１４１、樹脂シート１４１と所定距離離間して配置された応力緩和用樹脂シート１４２（１４３）、裏面ガラス１３をこの順序で積み重ねる。出力配線２０は、ＥＶＡシート１４ｂのスリット１４ｈ、樹脂シート１４１のスリット１４ｈを通り、裏面ガラス１３の開口部１３ａから引き出されている。
【００３７】
ＥＶＡシート１４ｂのスリット１４ｈ、樹脂シート１４１のスリット１４ｈは、出力配線２０の厚さより僅かに広い幅を有し、複数の出力配線２０…が挿入される長さを有している。このスリット１４ｈに出力配線２０を挿入することで、その間隔並びに長さなどを規定することができる。また、この樹脂シート１４のスリット１４ｈから水分の浸透が殆どないように、ラミネート後は、スリット１４ｈは殆ど閉塞される。このように配置された部材をラミネート装置でラミネートする。
【００３８】
図５及び図６を参照して、樹脂シート１４１と応力緩和用樹脂シート１４２、１４３の配置につき説明する。この実施形態では、３つの樹脂シート１４１、１４２、１４３を裏面ガラス１３側に配されるＥＶＡシート１４ｂ上に、所定の間隔距離で設置される。
【００３９】
まず、樹脂シート１４１は、裏面ガラス１３に設けられた開口部１３ａを閉塞し、ＥＶＡシート１４ｂのスリット１４ｈから引き出された出力配線２０を覆うように配置される。出力配線２０は、樹脂シート１４１のスリット１４ｈから引き出されている。この実施形態においては、樹脂シート１４１は、１３０ｍｍ×１５０ｍｍの矩形であり、厚さは０．２ｍｍのＰＥＴシートである。この樹脂シート１４１は、裏面ガラス１３の一方の端部から３０ｍｍの位置から裏面ガラス１３の開口部１３ａの方向に向かって配置される。尚、このシートの両表面には、ＥＶＡ等の接着層が被覆されている。
【００４０】
そして、樹脂シート１４１と同じ構造の１３０ｍｍ×１５０ｍｍの応力緩和用樹脂シート１４２、１４３をこの樹脂シート１４１に対して対称の位置に配置する。これら樹脂シート１４２、１４３はそれぞれ樹脂シート１４１に対して１５０ｍｍ、裏面ガラス１３の一方の端部から他方の端部側へ離れる方向（図中下方向）に、また、側面側へ４５ｍｍそれぞれ離れた位置に配置される。樹脂シート１４２、１４３は、樹脂シート１４１と同じ厚みであれば良く、樹脂シート１４１と同じ構造のものでもＥＶＡ樹脂シートで構成したものでも良い。応力緩和を考えると、樹脂シート１４１と同じ構造のものが好ましい。但し、ＥＶＡ樹脂自体で構成したものも同じ厚みであれば同様の応力緩和は得られる。
【００４１】
これら樹脂シート１４１、１４２、１４３の単純な面積は５８５ｃｍ２であるが、裏面ガラス１３側から押圧されたときに、裏面ガラス１３に均等に応力がかかる領域は図７のハッチングで示した領域Ｓとなる。この領域Ｓの面積は、１６６８ｃｍ２となる。３つの樹脂シート１４１、１４２、１４３を分散させて配置することで、広い領域で応力を受けることになり、応力集中による裏面ガラス１３の亀裂を防ぐことができる。この実施形態では、厚さ２．０ｍｍの未強化のガラス板を用いて、後述の方法でラミネートした結果、ガラス板への亀裂の発生を防ぐことができた。
【００４２】
また、上記のような樹脂シート１４１、１４２、１４３を用いずに太陽電池モジュールを製造したところ、ラミネート処理時の上記局所的応力により、樹脂シート形状に沿って板ガラスに亀裂が発生する場合があった。
【００４３】
このように、この実施形態では、樹脂シートの材料を少なくして、応力緩和を図ることができ、未強化の板ガラスを裏面ガラス１３に用いた太陽電池モジュールを亀裂なく得ることができる。また、裏面ガラス１３の開口部１３ａ部分には、樹脂シート１４１で覆われているので、開口部１３ａ部分からの水分の浸透も防ぐことができる。また、裏面ガラス１３に厚い強化ガラスを用いた場合には、応力緩和用樹脂シートを用いなくてもガラスに亀裂が発生することを防止できる。しかし、この場合には、集中した応力は、太陽電池１１側へ加わることになり、太陽電池１１に障害が生じる虞がある。このような場合においても応力緩和用樹脂シートを配置することで、応力集中が緩和され、太陽電池１１に応力が集中することが抑制できる。
【００４４】
図２に示されるように、ラミネート後は、裏面ガラス１３の開口部１３ａを閉塞するように、端子ボックス４０の底部４０ａがシリコーン樹脂５０などにより接着される。そして、端子ボックス４０内の端子部４０ｂの所定の端子板に、出力配線２０が半田付けされる。そして、図示はしないが端子ボックス４０のケース上蓋を底部４０ａに取り付けて太陽電池モジュール１０が構成される。
【００４５】
次に、上記太陽電池モジュール１０の製造方法について、図２ないし図９を参照して説明する。図８に示されるように、太陽電池モジュール１０を製造する製造装置は、下側ハウジング２００とこの下側ハウジングに気密に結合される上側ハウジング２０２とを備える。下側ハウジング２００の上部開口部には、略面一の状態でヒータプレート２０１が配置される。この上側ハウジング２０２には、下側ハウジング２００の開口部に対向する側にゴム製のダイアフラム２０３が設けられている。下側ハウジング２００と上側ハウジング２０２の周縁部には、両者を結合した時の気密状態を保持するためのパッキン２０４が全周に渡って取り付けられている。更に、下側ハウジング２００には、図示はしないが真空ポンプが接続されている。
【００４６】
そして、太陽電池モジュール１０を製造するにあたっては、まず、製造装置のヒータプレート２０１上に、下側から表面保護部材１２、表面側のＥＶＡシート１４ａ（封止部材）、配線部材１６により接続された複数の太陽電池１１…、ＥＶＡシート１４ｂ（封止部材）、樹脂シート１４１、樹脂シート１４１と所定距離離間して配置された応力緩和用樹脂シート１４２、１４３、裏面ガラス１３をこの順序で積み重ねる。出力配線２０は、ＥＶＡシート１４ｂのスリット１４ｈ、樹脂シート１４１のスリット１４ｈを通り、裏面ガラス１３の開口部１３ａから引き出されて所定の位置に位置決めされて仮保持されている。
【００４７】
上記のようにヒータプレート２０１上に各構成部品を積み合わせた後、下側ハウジング２００と上側ハウジング２０２とを結合させる。その後、下側ハウジング２００を図示しない真空ポンプにより排気する。この時ヒータプレート２０１を約１３０℃〜２００℃に加熱する。この状態で、ダイアフラム２０３がヒータプレート２０１上に載置された太陽電池モジュール１０側に約１気圧の圧力で押し付けられる。そして、ＥＶＡシート１４ａ、１４ｂがゲル状化し、所定のＥＶＡ層（封止層）１４を構成する。
【００４８】
これにより、太陽電池１１…が表面側の表面保護部材１２と裏面側の裏面ガラス１３との間に挟まれた状態でＥＶＡ層（封止層）１４内に封止される。裏面ガラス１３に均等に応力がかかる領域は図７のハッチングで示した領域Ｓとなる。この領域Ｓの面積は、１６６８ｃｍ２となる。３つの樹脂シート１４１、１４２、１４３を分散させて配置することで、広い領域で応力を受けることになり、応力集中による裏面ガラス１３の亀裂を防ぐことができる。この結果、製造歩留まりが改善される。ラミネートが終了すると、図８に示されるように表面保護部材１２と裏面ガラス１３との間に太陽電池１１が封止材１４で封止されている。裏面ガラス１３の開口部１３ａは、樹脂シート１４１で覆われているので、開口部１３ａ部分からの水分の浸透も防ぐことができる。
【００４９】
その後、端子ボックス４０の底部４０ａに設けた開口部４０ｈに裏面ガラス１３の開口部１３ａから引き出された出力配線２０を挿入し、そして裏面ガラス１３の開口部１３ａを閉塞するようにして、端子ボックス４０の底部４０ａが裏面ガラス１３にシリコーン樹脂からなる接着剤５０により取り付けられる。
【００５０】
しかる後、図２に示されるように、端子ボックス４０内の端子部４０ｂの所定の端子板にそれぞれ出力配線２０が半田ごてを用いて接続される。
【００５１】
そして、半田付けの作業が終了した後、端子ボックス４０のケース上蓋（図示しない）を底部４０ａに取り付けて太陽電池モジュール１０が構成される。
【００５２】
上記した実施形態においては、３つの樹脂シートを配置したが、図１０に示す他の実施形態のように、封止樹脂シート１４ｂより小さく局所的な応力を緩和できる大きさより大きい面積を有する１枚の樹脂シート１４０を裏面ガラス１３の開口部１３ａの位置に配置しても良い。第１の実施形態と同じ構成のものであれば、１６６８ｃｍ２の台形形状の樹脂シート１４０を用いればよい。尚、図１０中、破線で示した１４１、１４２、１４３が前述の実施形態の樹脂シートに相当する面積部分である。この樹脂シート１４０もＰＥＴシートの両面にＥＶＡ等の接着層を設けると良い。この実施形態では、材料が前述した実施形態より多く必要になるが、位置決め作業が容易になるという利点がある。
【００５３】
尚、この実施形態では、裏面保護部材として、薄板ガラスを用いたが、これに限らず、透光性プラスチック等を用いることができる。
【００５４】
また、上記した実施形態においては、ＰＥＴシートを用いたが、ＥＶＡシートだけを用いても良い。ＥＶＡシートの場合には、ＰＥＴシートより水分浸透を防止する効果は低減するが、出力配線２０を確実に裏面ガラス１３との間に接着させることができ、出力配線２０が強固に保持されることになる。
【００５５】
今回開示された実施の形態はすべての点で例示であって制限的なものではないと考えられるべきである。例えば、この発明に係る太陽電池は、両面受光型の太陽電池でも良いし、片面受光型の太陽電池であっても良い。また、裏面接合型の太陽電池であっても良い。さらに、この発明は、結晶系太陽電池モジュールに限らず、薄膜系の太陽電池モジュールにも適用することができる。また、この発明における出力配線は、少なくとも正負の取出し用の配線を含むものであれば良い。このように、この発明の範囲は、上記した実施の形態の説明ではなくて特許請求の範囲によって示され、特許請求の範囲と均等の意味および範囲内でのすべての変更が含まれることが意図される。
【符号の説明】
【００５６】
１０  太陽電池モジュール
１１  太陽電池
１２  表面保護部材
１３  裏面ガラス
１４  封止材
１４１  樹脂シート
１４２、１４３  応力緩和用樹脂シート
１６  配線材
２０  出力配線
４０  端子ボックス
４０ｂ  端子部
【図１】
2012204533.tif 000003
【図２】
2012204533.tif 000004
【図３】
2012204533.tif 000005
【図４】
2012204533.tif 000006
【図５】
2012204533.tif 000007
【図６】
2012204533.tif 000008
【図７】
2012204533.tif 000009
【図８】
2012204533.tif 000010
【図９】
2012204533.tif 000011
【図１０】
2012204533.tif 000012